(57)【要約】【課題】  心臓磁界計測による心臓の空間的認識および興奮伝播軌跡の構築を可能にした心臓磁界診断装置、心臓の空間認識方法、および心臓における興奮伝播軌跡構築方法を提供する。【解決手段】  磁界分布計測装置１は、被験者の胸部上の複数座標における非接触磁気計測により磁界分布データを形成する。演算装置２はこれに基づいて心筋内の３次元電流密度分布データを算出する。演算装置２はさらにこの電流密度分布データに基づいて、磁界積分立体図を心臓の外郭立体図として描画する。被験者の胸部の既知の位置に別途装着されたコイル６から発生する磁界を磁界分布計測装置１で特定し、その位置を心臓外郭立体図と同一空間に描画する。これにより心臓の空間認識が可能になる、また、電流密度データに基づいて興奮伝播軌跡を構築し、心臓外郭上に再構築する。これにより興奮伝播の信号源の推定が可能になる。【選択図】        図１
2005342081.tif 000002
【特許請求の範囲】
【請求項１】
心臓磁界診断装置を用いた心臓の空間認識方法であって、
前記心臓磁界診断装置は、
被験者の胸部上の複数の座標における非接触磁気計測により前記複数の座標に対応する２次元心臓磁界分布データを生成する心臓磁界分布計測手段と、
前記生成された２次元心臓磁界分布データに基づいて前記被験者の心筋内の３次元電流密度分布データを生成する第１の演算手段と、
前記３次元電流密度分布データに基づいて、心臓の外郭を示す心臓磁界積分立体図を構築する第２の演算手段とを備え、
前記空間認識方法は、
前記被験者の胸部上の所定の位置に外部から所定の磁気信号を印加するステップと、
前記印加された所定の磁気信号を前記心臓磁界分布計測手段によって検出して、前記胸部上の前記所定の位置を認識するステップと、
前記構築された心臓磁界積分立体図と同一空間内に、前記認識された前記所定の位置を同定するステップとを備えた、心臓の空間認識方法。
【請求項２】
前記第２の演算手段は、
前記被験者の胸部の３次元座標のそれぞれの座標における前記３次元電流密度データのまたは前記３次元電流密度データを二乗した３次元エネルギ密度データの所定期間にわたる積分値を求める積分手段と、
前記それぞれの座標における前記積分値のうちの最大値を求める最大値判定手段と、
前記胸部の３次元座標を複数の立方体の集合に区分する立方体設定手段と、
前記積分値の最大値に基づいてしきい値を設定するしきい値設定手段と、
前記設定されたしきい値に対する、前記立方体の各々の各頂点に対応する座標の前記積分値の大小を判定する大小判定手段と、
前記複数の立方体の集合における前記積分値の大小の判定結果を表示する画像を前記心臓磁界積分立体図として生成する画像生成手段とを含む、請求項１に記載の心臓の空間認識方法。
【請求項３】
前記画像生成手段は、
前記複数の立方体の各々ごとに、前記各立方体を構成する８個の頂点のうち対応する座標の前記積分値が前記しきい値より大きい頂点の数を算出する手段と、
前記積分値がしきい値より大きい頂点の数に応じて予め定められた態様で、前記しきい値よりも大きい頂点を結ぶポリゴンを描画する手段と、
前記胸部の３次元座標空間内に前記複数の立方体を配列して前記描画されたポリゴンを透視法射影する手段とを含み、
前記透視法射影により得られた各立方体のポリゴンの集合が前記心臓磁界積分立体図を構成する、請求項２に記載の心臓の空間認識方法。
【請求項４】
前記心臓の心房の外郭を示す磁界積分立体図を得るときには、前記所定期間はＰ波心房部の時間である、請求項２または３に記載の心臓の空間認識方法。
【請求項５】
前記心臓の心室の外郭を示す磁界積分立体図を得るときには、前記所定期間はＱＲＳ波心室部の時間である、請求項２または３に記載の心臓の空間認識方法。
【請求項６】
前記所定の位置を認識するステップは、
前記心臓磁界分布計測手段によって生成された前記複数の座標の２次元心臓磁界分布データのオペレータによる目視によって前記所定の位置を認識するステップを含む、請求項１〜５のいずれかに記載の心臓の空間認識方法。
【請求項７】
前記所定の位置が特定された、前記被験者の胸部の解剖学的画像を生成するステップと、
前記所定の位置が同定された前記心臓磁界積分立体図に、前記解剖学的画像を合成するステップとをさらに備える、請求項１〜６のいずれかに記載の心臓の空間認識方法。
【請求項８】
被験者の胸部上の複数の座標における非接触磁気計測により前記複数の座標に対応する２次元心臓磁界分布データを生成する心臓磁界分布計測手段と、
前記生成された２次元心臓磁界分布データに基づいて前記被験者の心筋内の３次元電流密度分布データを生成する第１の演算手段と、
前記３次元電流密度分布データに基づいて、心臓の外郭を示す心臓磁界積分立体図を構築する第２の演算手段と、
前記被験者の胸部上の所定の位置に外部から印加された所定の磁気信号を前記心臓磁界分布計測手段によって検出して、前記胸部上の前記所定の位置を認識する磁気信号認識手段と、
前記構築された心臓磁界積分立体図と同一空間内に、前記認識された前記所定の位置を同定する空間位置同定手段とを備えた、心臓磁界診断装置。
【請求項９】
前記第２の演算手段は、
前記被験者の胸部の３次元座標のそれぞれの座標における前記３次元電流密度データのまたは前記３次元電流密度データを二乗した３次元エネルギ密度データの所定期間にわたる積分値を求める積分手段と、
前記それぞれの座標における前記積分値のうちの最大値を求める最大値判定手段と、
前記胸部の３次元座標を複数の立方体の集合に区分する立方体設定手段と、
前記積分値の最大値に基づいてしきい値を設定するしきい値設定手段と、
前記設定されたしきい値に対する、前記立方体の各々の各頂点に対応する座標の前記積分値の大小を判定する大小判定手段と、
前記複数の立方体の集合における前記積分値の大小の判定結果を表示する画像を前記心臓磁界積分立体図として生成する画像生成手段とを含む、請求項８に記載の心臓磁界診断装置。
【請求項１０】
前記画像生成手段は、
前記複数の立方体の各々ごとに、前記各立方体を構成する８個の頂点のうち対応する座標の前記積分値が前記しきい値より大きい頂点の数を算出する手段と、
前記積分値がしきい値より大きい頂点の数に応じて予め定められた態様で、前記しきい値よりも大きい頂点を結ぶポリゴンを描画する手段と、
前記胸部の３次元座標空間内に前記複数の立方体を配列して透視法射影する手段とを含み、
前記透視法射影により得られた各立方体のポリゴンの集合が前記心臓磁界積分立体図を構成する、請求項９に記載の心臓磁界診断装置。
【請求項１１】
前記心臓の心房の外郭を示す磁界積分立体図を得るときには、前記所定期間はＰ波心房部の時間である、請求項９または１０に記載の心臓磁界診断装置。
【請求項１２】
前記心臓の心室の外郭を示す磁界積分立体図を得るときには、前記所定期間はＱＲＳ波心室部の時間である、請求項９または１０に記載の心臓磁界診断装置。
【請求項１３】
前記所定の位置が特定された、前記被験者の胸部の解剖学的画像を供給する手段と、
前記所定の位置が同定された前記心臓磁界積分立体図に、前記解剖学的画像を合成する手段とをさらに備える、請求項８〜１２のいずれかに記載の心臓磁界診断装置。
【請求項１４】
被験者の胸部上の複数の座標における非接触磁気計測により前記複数の座標に対応する２次元心臓磁界分布データを生成するステップと、
前記生成された２次元心臓磁界分布データに基づいて前記被験者の心筋内の３次元電流密度分布データを生成するステップと、
前記３次元電流密度分布データに基づいて、心臓の外郭を示す心臓磁界積分立体図を構築するステップと、
前記被験者の胸部上の所定の位置に外部から印加された所定の磁気信号を検出して、前記胸部上の前記所定の位置を認識するステップと、
前記構築された心臓磁界積分立体図と同一空間内に、前記認識された前記所定の位置を同定するステップとを備えた、心臓の空間認識方法。
【請求項１５】
前記心臓磁界積分立体図を構築するステップは、
前記被験者の胸部の３次元座標のそれぞれの座標における前記３次元電流密度データのまたは前記３次元電流密度データを二乗した３次元エネルギ密度データの所定期間にわたる積分値を求めるステップと、
前記それぞれの座標における前記積分値のうちの最大値を求めるステップと、
前記胸部の３次元座標を複数の立方体の集合に区分するステップと、
前記積分値の最大値に基づいてしきい値を設定するステップと、
前記設定されたしきい値に対する、前記立方体の各々の各頂点に対応する座標の前記積分値の大小を判定するステップと、
前記複数の立方体の集合における前記積分値の大小の判定結果を表示する画像を前記心臓磁界積分立体図として生成するステップとを含む、請求項１４に記載の心臓の空間認識方法。
【請求項１６】
前記画像を生成するステップは、
前記複数の立方体の各々ごとに、前記各立方体を構成する８個の頂点のうち対応する座標の前記積分値が前記しきい値より大きい頂点の数を算出するステップと、
前記積分値がしきい値より大きい頂点の数に応じて予め定められた態様で、前記しきい値よりも大きい頂点を結ぶポリゴンを描画するステップと、
前記胸部の３次元座標空間内に前記複数の立方体を配列して透視法射影するステップとを含み、
前記透視法射影により得られた各立方体のポリゴンの集合が前記心臓磁界積分立体図を構成する、請求項１５に記載の心臓の空間認識方法。
【請求項１７】
前記心臓の心房の外郭を示す磁界積分立体図を得るときには、前記所定期間はＰ波心房部の時間である、請求項１５または１６に記載の心臓の空間認識方法。
【請求項１８】
前記心臓の心室の外郭を示す磁界積分立体図を得るときには、前記所定期間はＱＲＳ波心室部の時間である、請求項１５または１６に記載の心臓の空間認識方法。
【請求項１９】
前記所定の位置が特定された、前記被験者の胸部の解剖学的画像を供給するステップと、
前記所定の位置が同定された前記心臓磁界積分立体図に、前記解剖学的画像を合成するステップとをさらに備える、請求項１４〜１８のいずれかに記載の心臓の空間認識方法。
【請求項２０】
被験者の胸部上の複数の座標における非接触磁気計測により前記複数の座標に対応する２次元心臓磁界分布データを生成する心臓磁界分布計測手段と、
前記生成された２次元心臓磁界分布データに基づいて前記被験者の心筋内の３次元電流密度分布データを生成する第１の演算手段と、
前記３次元電流密度分布データに基づいて、心臓の外郭を示す心臓磁界積分立体図を構築する第２の演算手段と、
前記３次元電流密度分布データに基づいて前記被験者の心筋内の刺激伝導系の３次元興奮伝播軌跡を構築する第３の演算手段と、
前記構築された心臓磁界積分立体図と前記構築された３次元興奮伝播軌跡とを合成するデータ合成手段とを備えた、心臓磁界診断装置。
【請求項２１】
前記第２の演算手段は、
前記被験者の胸部の３次元座標のそれぞれの座標における前記３次元電流密度データのまたは前記３次元電流密度データを二乗した３次元エネルギ密度データの所定期間にわたる積分値を求める積分手段と、
前記それぞれの座標における前記積分値のうちの最大値を求める最大値判定手段と、
前記胸部の３次元座標を複数の立方体の集合に区分する立方体設定手段と、
前記積分値の最大値に基づいてしきい値を設定するしきい値設定手段と、
前記設定されたしきい値に対する、前記立方体の各々の各頂点に対応する座標の前記積分値の大小を判定する大小判定手段と、
前記複数の立方体の集合における前記積分値の大小の判定結果を表示する画像を前記心臓磁界積分立体図として生成する画像生成手段とを含む、請求項２０に記載の心臓磁界診断装置。
【請求項２２】
前記画像生成手段は、
前記複数の立方体の各々ごとに、前記各立方体を構成する８個の頂点のうち対応する座標の前記積分値が前記しきい値より大きい頂点の数を算出する手段と、
前記積分値がしきい値より大きい頂点の数に応じて予め定められた態様で、前記しきい値よりも大きい頂点を結ぶポリゴンを描画する手段と、
前記胸部の３次元座標空間内に前記複数の立方体を配列して透視法射影する手段とを含み、
前記透視法射影により得られた各立方体のポリゴンの集合が前記心臓磁界積分立体図を構成する、請求項２１に記載の心臓磁界診断装置。
【請求項２３】
前記第３の演算手段は、
前記被験者の胸部の３次元座標のそれぞれの座標における前記電流密度分布データの、前記所定期間内の複数のタイミングにおける最強値の座標を求める手段と、
前記複数のタイミングにおける最強値の座標を結ぶ線を描画する手段と、
前記タイミングをずらしながら前記最強値の座標を結ぶ動作を繰返す手段とを含む、請求項２１または２２に記載の心臓磁界診断装置。
【請求項２４】
前記最強値の座標を結ぶ線を描画する手段は、Ｂスプライン曲線で前記座標を結ぶ、請求項２３に記載の心臓磁界診断装置。
【請求項２５】
前記心臓の心房の外郭を示す磁界積分立体図を得るときには、前記所定期間はＰ波心房部の時間である、請求項２１〜２４のいずれかに記載の心臓磁界診断装置。
【請求項２６】
前記心臓の心室の外郭を示す磁界積分立体図を得るときには、前記所定期間はＱＲＳ波心室部の時間である、請求項２１〜２４のいずれかに記載の心臓磁界診断装置。
【請求項２７】
前記被験者の胸部の解剖学的画像を供給する手段と、
前記３次元興奮伝播軌跡が合成された前記心臓磁界積分立体図に、前記解剖学的画像を合成する手段とをさらに備える、請求項２０〜２６のいずれかに記載の心臓磁界診断装置。
【請求項２８】
被験者の胸部上の複数の座標における非接触磁気計測により前記複数の座標に対応する２次元心臓磁界分布データを生成するステップと、
前記生成された２次元心臓磁界分布データに基づいて前記被験者の心筋内の３次元電流密度分布データを生成するステップと、
前記３次元電流密度分布データに基づいて、心臓の外郭を示す心臓磁界積分立体図を構築するステップと、
前記３次元電流密度分布データに基づいて前記被験者の心筋内の刺激伝導系の３次元興奮伝播軌跡を構築するステップと、
前記構築された心臓磁界積分立体図と前記構築された３次元興奮伝播軌跡とを合成するステップとを備えた、心臓における興奮伝播軌跡構築方法。
【請求項２９】
前記心臓磁界積分立体図を構築するステップは、
前記被験者の胸部の３次元座標のそれぞれの座標における前記３次元電流密度データのまたは前記３次元電流密度データを二乗した３次元エネルギ密度データの所定期間にわたる積分値を求めるステップと、
前記それぞれの座標における前記積分値のうちの最大値を求めるステップと、
前記胸部の３次元座標を複数の立方体の集合に区分するステップと、
前記積分値の最大値に基づいてしきい値を設定するステップと、
前記設定されたしきい値に対する、前記立方体の各々の各頂点に対応する座標の前記積分値の大小を判定するステップと、
前記複数の立方体の集合における前記積分値の大小の判定結果を表示する画像を前記心臓磁界積分立体図として生成するステップとを含む、請求項２８に記載の興奮伝播軌跡構築方法。
【請求項３０】
前記画像を生成するステップは、
前記複数の立方体の各々ごとに、前記各立方体を構成する８個の頂点のうち対応する座標の前記積分値が前記しきい値より大きい頂点の数を算出するステップと、
前記積分値がしきい値より大きい頂点の数に応じて予め定められた態様で、前記しきい値よりも大きい頂点を結ぶポリゴンを描画するステップと、
前記胸部の３次元座標空間内に前記複数の立方体を配列して透視法射影するステップとを含み、
前記透視法射影により得られた各立方体のポリゴンの集合が前記心臓磁界積分立体図を構成する、請求項２９に記載の興奮伝播軌跡構築方法。
【請求項３１】
前記３次元興奮伝播軌跡を構築するステップは、
前記被験者の胸部の３次元座標のそれぞれの座標における前記電流密度分布データの、前記所定期間内の複数のタイミングにおける最強値の座標を求めるステップと、
前記複数のタイミングにおける最強値の座標を結ぶ線を描画するステップと、
前記タイミングをずらしながら前記最強値の座標を結ぶ動作を繰返すステップとを含む、請求項２９または３０に記載の興奮伝播軌跡構築方法。
【請求項３２】
前記最強値の座標を結ぶ線を描画するステップは、Ｂスプライン曲線で前記座標を結ぶ、請求項３１に記載の興奮伝播軌跡構築方法。
【請求項３３】
前記心臓の心房の外郭を示す磁界積分立体図を得るときには、前記所定期間はＰ波心房部の時間である、請求項２９〜３２のいずれかに記載の興奮伝播軌跡構築方法。
【請求項３４】
前記心臓の心室の外郭を示す磁界積分立体図を得るときには、前記所定期間はＱＲＳ波心室部の時間である、請求項２９〜３２のいずれかに記載の興奮伝播軌跡構築方法。
【請求項３５】
前記被験者の胸部の解剖学的画像を供給するステップと、
前記３次元興奮伝播軌跡が合成された前記心臓磁界積分立体図に、前記解剖学的画像を合成するステップとをさらに備える、請求項２８〜３４のいずれかに記載の興奮伝播軌跡構築方法。
【発明の詳細な説明】
【技術分野】
【０００１】
この発明は、心臓磁界診断装置、心臓の空間認識方法、および心臓における興奮伝播軌跡構築方法に関し、より特定的には、心臓磁界から心臓の３次元電流密度分布を算出して心臓磁界積分立体図を構築するとともに心臓の空間認識または興奮伝播軌跡構築を可能にする心臓磁界診断装置、およびそのような心臓磁界診断装置における心臓の空間認識方法および興奮伝播軌跡構築方法に関する。
【背景技術】
【０００２】
近年、さまざまな心疾患の中で、種々の不整脈（ＷＰＷ（Wolff-Parkinson-White）症候群、心房粗動、心房細動など）は、心筋内に異常な興奮伝播回路であるリエントリ（re-entry）回路が形成されることにより引き起こされることが知られている。
【０００３】
これらの不整脈に対しては、近年のカテーテル焼灼法などの医療技術の進歩により根治治療が行なわれている。
【０００４】
そしてこれらの不整脈の治療のためには、原因となるリエントリ回路の心筋内における発生部位の３次元的な同定を非侵襲な方法で行なえることが望ましいが、従来は、カテーテルを用いたElectro-anatomicalマッピング法のような侵襲的な方法が用いられていた。
【０００５】
一方、地磁気の１０億分の１程度の磁束を高感度に検出することができる超電導量子干渉素子（Superconducting Quantum Interference Device：以下、ＳＱＵＩＤ）を用いたＳＱＵＩＤ磁束計がさまざまな分野で応用されている。特に、非侵襲性の計測が強く要望されている生体計測の分野では、ＳＱＵＩＤ磁束計を用いた人体の非接触磁気計測が行なわれている。
【０００６】
特に、近年の薄膜素子製造技術の進歩によりＤＣ−ＳＱＵＩＤが開発されたことにより、ＳＱＵＩＤ磁束計を用いて心臓の磁界分布である心磁図を計測することが行なわれている。このような心臓磁界の計測は、肺やトルソー形状の臓器構成の影響を受けにくいため、心臓の電気現象により生じる心臓磁界を３次元的に解析することができるという特徴を有する。
【０００７】
さらにＳＱＵＩＤ磁束計で計測された心臓磁界の３次元磁界分布から心筋内の３次元電流密度分布を求める方法が提案されている（特許文献１〜３、非特許文献１〜４参照）。
【０００８】
これらの方法では、たとえば、開口合成磁界解析法（Synthetic Aperture Magnetometry：以下、ＳＡＭ）を用いた電流密度分布推定法により、計測された心臓磁界に基づいて異常な興奮伝播の信号源を推定したり、生存心筋を評価する方法が提案されている。また、さらに進んでTikhonov正規化による最小二乗法による空間分解能に優れた新しい空間フィルタを用いて心臓磁界分布から電流密度分布を推定する方法も提案されている。
【特許文献１】特開２００２−２８１４３号公報
【特許文献２】特開２００２−２８１４４号公報
【特許文献３】特開２００２−２８１４５号公報
【非特許文献１】中居賢司他、「心磁図による梗塞心筋および虚血心筋の解析−開口合成磁界解析法の臨床応用」、日本心電学会誌、２００３年、第２３巻、第１号、第３５頁〜第４４頁
【非特許文献２】中居賢司他、「空間フィルタ法を用いた心磁図による信号源推定」、日本心電学会誌、２００４年、第２４巻、第１号、第５９頁〜第６９頁
【非特許文献３】吉澤正人他、「拡張されたＳＡＭによる心磁界の電流密度分布の表示」、日本生体磁気学会大会集、２００２；１５；１０９
【非特許文献４】M.Yoshizawa, K.Nakai, Y.Nakamura, K.Kobayashi, Y.Uchikawa:"Current density imaging of simulated MCG signal by Modified Synthetic Aperture Magnetometry" BIOMAG 2002, 2002.8(Germany)
【発明の開示】
【発明が解決しようとする課題】
【０００９】
上述のような従来のＳＱＵＩＤ磁束計を用いた心臓磁界計測では、計測した心臓磁界分布から心筋内の３次元電流密度分布を示すデータを計算して心筋内における異常な興奮伝播回路の位置関係を同定することが行なわれてきた（たとえば特許文献１〜３参照）。
【００１０】
しかしながら、得られた３次元電流密度分布データに対する心臓の３次元的な解剖学的空間認識は困難であり、さらに不整脈の原因となる心筋内の異常な興奮伝播回路の発生部位の３次元的な解剖学的空間認識を正確に行なうことは困難であった。
【００１１】
特に、被験者について別途ＭＲＩ法やＣＴ法で得られた解剖学的画像と、上記の心臓磁界分布に基づいて得られた３次元電流密度分布データとを再構成する試みがなされているが、別の時刻に別の方法で得られた２つのデータを空間的なずれなく正確に合わせることは非常に困難であり、心臓の空間的認識はやはり困難であった。
【００１２】
この発明の目的は、心臓磁界計測により求められた心筋内の電流密度分布から心臓の外郭の描写を可能にするとともに心臓の解剖学的空間認識を可能にした心臓磁界診断装置および心臓の空間認識方法を提供することである。
【００１３】
この発明の他の目的は、心臓磁界計測により求められた心筋内の電流密度分布から心臓の外郭の描写を可能にするとともに心臓の興奮伝播軌跡構築を可能にした心臓磁界診断装置および心臓の興奮伝播軌跡構築方法を提供することである。
【課題を解決するための手段】
【００１４】
この発明の１つの局面によれば、心臓磁界診断装置を用いた心臓の空間認識方法であって、心臓磁界診断装置は、被験者の胸部上の複数の座標における非接触磁気計測により複数の座標に対応する２次元心臓磁界分布データを生成する心臓磁界分布計測手段と、生成された２次元心臓磁界分布データに基づいて被験者の心筋内の３次元電流密度分布データを生成する第１の演算手段と、３次元電流密度分布データに基づいて、心臓の外郭を示す心臓磁界積分立体図を構築する第２の演算手段とを備える。空間認識方法は、被験者の胸部上の所定の位置に外部から所定の磁気信号を印加するステップと、印加された所定の磁気信号を心臓磁界分布計測手段によって検出して、胸部上の前記所定の位置を認識するステップと、構築された心臓磁界積分立体図と同一空間内に、認識された所定の位置を同定するステップとを備える。
【００１５】
好ましくは、第２の演算手段は、被験者の胸部の３次元座標のそれぞれの座標における３次元電流密度データのまたは３次元電流密度データを二乗した３次元エネルギ密度データの所定期間にわたる積分値を求める積分手段と、それぞれの座標における積分値のうちの最大値を求める最大値判定手段と、胸部の３次元座標を複数の立方体の集合に区分する立方体設定手段と、積分値の最大値に基づいてしきい値を設定するしきい値設定手段と、設定されたしきい値に対する、立方体の各々の各頂点に対応する座標の積分値の大小を判定する大小判定手段と、複数の立方体の集合における積分値の大小の判定結果を表示する画像を心臓磁界積分立体図として生成する画像生成手段とを含む。
【００１６】
好ましくは、画像生成手段は、複数の立方体の各々ごとに、各立方体を構成する８個の頂点のうち対応する座標の積分値が前記しきい値より大きい頂点の数を算出する手段と、積分値がしきい値より大きい頂点の数に応じて予め定められた態様で、しきい値よりも大きい頂点を結ぶポリゴンを描画する手段と、胸部の３次元座標空間内に複数の立方体を配列して描画されたポリゴンを透視法射影する手段とを含む。透視法射影により得られた各立方体のポリゴンの集合が心臓磁界積分立体図を構成する。
【００１７】
好ましくは、心臓の心房の外郭を示す磁界積分立体図を得るときには、所定期間はＰ波心房部の時間である。
【００１８】
好ましくは、心臓の心室の外郭を示す磁界積分立体図を得るときには、所定期間はＱＲＳ波心室部の時間である。
【００１９】
好ましくは、所定の位置を認識するステップは、心臓磁界分布計測手段によって生成された複数の座標の２次元心臓磁界分布データのオペレータによる目視によって所定の位置を認識するステップを含む。
【００２０】
好ましくは、心臓の空間認識方法は、所定の位置が特定された、被験者の胸部の解剖学的画像を生成するステップと、所定の位置が同定された心臓磁界積分立体図に、解剖学的画像を合成するステップとをさらに備える。
【００２１】
この発明の他の局面によれば、心臓磁界診断装置は、被験者の胸部上の複数の座標における非接触磁気計測により複数の座標に対応する２次元心臓磁界分布データを生成する心臓磁界分布計測手段と、生成された２次元心臓磁界分布データに基づいて被験者の心筋内の３次元電流密度分布データを生成する第１の演算手段と、３次元電流密度分布データに基づいて、心臓の外郭を示す心臓磁界積分立体図を構築する第２の演算手段と、被験者の胸部上の所定の位置に外部から印加された所定の磁気信号を心臓磁界分布計測手段によって検出して、胸部上の所定の位置を認識する磁気信号認識手段と、構築された心臓磁界積分立体図と同一空間内に、認識された所定の位置を同定する空間位置同定手段とを備える。
【００２２】
好ましくは、第２の演算手段は、被験者の胸部の３次元座標のそれぞれの座標における３次元電流密度データのまたは３次元電流密度データを二乗した３次元エネルギ密度データの所定期間にわたる積分値を求める積分手段と、それぞれの座標における積分値のうちの最大値を求める最大値判定手段と、胸部の３次元座標を複数の立方体の集合に区分する立方体設定手段と、積分値の最大値に基づいてしきい値を設定するしきい値設定手段と、設定されたしきい値に対する、立方体の各々の各頂点に対応する座標の積分値の大小を判定する大小判定手段と、複数の立方体の集合における積分値の大小の判定結果を表示する画像を心臓磁界積分立体図として生成する画像生成手段とを含む。
【００２３】
好ましくは、画像生成手段は、複数の立方体の各々ごとに、各立方体を構成する８個の頂点のうち対応する座標の積分値がしきい値より大きい頂点の数を算出する手段と、積分値がしきい値より大きい頂点の数に応じて予め定められた態様で、しきい値よりも大きい頂点を結ぶポリゴンを描画する手段と、胸部の３次元座標空間内に複数の立方体を配列して透視法射影する手段とを含む。透視法射影により得られた各立方体のポリゴンの集合が心臓磁界積分立体図を構成する。
【００２４】
好ましくは、心臓の心房の外郭を示す磁界積分立体図を得るときには、所定期間はＰ波心房部の時間である。
【００２５】
好ましくは、心臓の心室の外郭を示す磁界積分立体図を得るときには、所定期間はＱＲＳ波心室部の時間である。
【００２６】
好ましくは、心臓磁界診断装置は、所定の位置が特定された、被験者の胸部の解剖学的画像を供給する手段と、所定の位置が同定された心臓磁界積分立体図に、解剖学的画像を合成する手段とをさらに備える。
【００２７】
この発明のさらに他の局面によれば、心臓の空間認識方法は、被験者の胸部上の複数の座標における非接触磁気計測により複数の座標に対応する２次元心臓磁界分布データを生成するステップと、生成された２次元心臓磁界分布データに基づいて被験者の心筋内の３次元電流密度分布データを生成するステップと、３次元電流密度分布データに基づいて、心臓の外郭を示す心臓磁界積分立体図を構築するステップと、被験者の胸部上の所定の位置に外部から印加された所定の磁気信号を検出して、胸部上の所定の位置を認識するステップと、構築された心臓磁界積分立体図と同一空間内に、認識された所定の位置を同定するステップとを備える。
【００２８】
好ましくは、心臓磁界積分立体図を構築するステップは、被験者の胸部の３次元座標のそれぞれの座標における３次元電流密度データのまたは３次元電流密度データを二乗した３次元エネルギ密度データの所定期間にわたる積分値を求めるステップと、それぞれの座標における積分値のうちの最大値を求めるステップと、胸部の３次元座標を複数の立方体の集合に区分するステップと、積分値の最大値に基づいてしきい値を設定するステップと、設定されたしきい値に対する、立方体の各々の各頂点に対応する座標の積分値の大小を判定するステップと、複数の立方体の集合における積分値の大小の判定結果を表示する画像を心臓磁界積分立体図として生成するステップとを含む。
【００２９】
好ましくは、画像を生成するステップは、複数の立方体の各々ごとに、各立方体を構成する８個の頂点のうち対応する座標の積分値がしきい値より大きい頂点の数を算出するステップと、積分値がしきい値より大きい頂点の数に応じて予め定められた態様で、しきい値よりも大きい頂点を結ぶポリゴンを描画するステップと、胸部の３次元座標空間内に複数の立方体を配列して透視法射影するステップとを含む。透視法射影により得られた各立方体のポリゴンの集合が心臓磁界積分立体図を構成する。
【００３０】
好ましくは、心臓の心房の外郭を示す磁界積分立体図を得るときには、所定期間はＰ波心房部の時間である。
【００３１】
好ましくは、心臓の心室の外郭を示す磁界積分立体図を得るときには、所定期間はＱＲＳ波心室部の時間である。
【００３２】
好ましくは、心臓の空間認識方法は、所定の位置が特定された、被験者の胸部の解剖学的画像を供給するステップと、所定の位置が同定された心臓磁界積分立体図に、解剖学的画像を合成するステップとをさらに備える。
【００３３】
この発明のさらに他の局面によれば、心臓磁界診断装置は、被験者の胸部上の複数の座標における非接触磁気計測により複数の座標に対応する２次元心臓磁界分布データを生成する心臓磁界分布計測手段と、生成された２次元心臓磁界分布データに基づいて被験者の心筋内の３次元電流密度分布データを生成する第１の演算手段と、３次元電流密度分布データに基づいて、心臓の外郭を示す心臓磁界積分立体図を構築する第２の演算手段と、３次元電流密度分布データに基づいて被験者の心筋内の刺激伝導系の３次元興奮伝播軌跡を構築する第３の演算手段と、構築された心臓磁界積分立体図と構築された３次元興奮伝播軌跡とを合成するデータ合成手段とを備える。
【００３４】
好ましくは、第２の演算手段は、被験者の胸部の３次元座標のそれぞれの座標における３次元電流密度データのまたは３次元電流密度データを二乗した３次元エネルギ密度データの所定期間にわたる積分値を求める積分手段と、それぞれの座標における積分値のうちの最大値を求める最大値判定手段と、胸部の３次元座標を複数の立方体の集合に区分する立方体設定手段と、積分値の最大値に基づいてしきい値を設定するしきい値設定手段と、設定されたしきい値に対する、立方体の各々の各頂点に対応する座標の積分値の大小を判定する大小判定手段と、複数の立方体の集合における積分値の大小の判定結果を表示する画像を心臓磁界積分立体図として生成する画像生成手段とを含む。
【００３５】
好ましくは、画像生成手段は、複数の立方体の各々ごとに、各立方体を構成する８個の頂点のうち対応する座標の積分値が前記しきい値より大きい頂点の数を算出する手段と、積分値がしきい値より大きい頂点の数に応じて予め定められた態様で、しきい値よりも大きい頂点を結ぶポリゴンを描画する手段と、胸部の３次元座標空間内に複数の立方体を配列して透視法射影する手段とを含む。透視法射影により得られた各立方体のポリゴンの集合が心臓磁界積分立体図を構成する。
【００３６】
好ましくは、第３の演算手段は、被験者の胸部の３次元座標のそれぞれの座標における電流密度分布データの、所定期間内の複数のタイミングにおける最強値の座標を求める手段と、複数のタイミングにおける最強値の座標を結ぶ線を描画する手段と、タイミングをずらしながら最強値の座標を結ぶ動作を繰返す手段とを含む。
【００３７】
好ましくは、最強値の座標を結ぶ線を描画する手段は、Ｂスプライン曲線で座標を結ぶ。
【００３８】
好ましくは、心臓の心房の外郭を示す磁界積分立体図を得るときには、所定期間はＰ波心房部の時間である。
【００３９】
好ましくは、心臓の心室の外郭を示す磁界積分立体図を得るときには、所定期間はＱＲＳ波心室部の時間である。
【００４０】
好ましくは、心臓磁界診断装置は、被験者の胸部の解剖学的画像を供給する手段と、３次元興奮伝播軌跡が合成された心臓磁界積分立体図に、解剖学的画像を合成する手段とをさらに備える。
【００４１】
この発明のさらに他の局面によれば、心臓における興奮伝播軌跡構築方法は、被験者の胸部上の複数の座標における非接触磁気計測により複数の座標に対応する２次元心臓磁界分布データを生成するステップと、生成された２次元心臓磁界分布データに基づいて被験者の心筋内の３次元電流密度分布データを生成するステップと、３次元電流密度分布データに基づいて、心臓の外郭を示す心臓磁界積分立体図を構築するステップと、３次元電流密度分布データに基づいて被験者の心筋内の刺激伝導系の３次元興奮伝播軌跡を構築するステップと、構築された心臓磁界積分立体図と構築された３次元興奮伝播軌跡とを合成するステップとを備える。
【００４２】
好ましくは、心臓磁界積分立体図を構築するステップは、被験者の胸部の３次元座標のそれぞれの座標における３次元電流密度データのまたは３次元電流密度データを二乗した３次元エネルギ密度データの所定期間にわたる積分値を求めるステップと、それぞれの座標における積分値のうちの最大値を求めるステップと、胸部の３次元座標を複数の立方体の集合に区分するステップと、積分値の最大値に基づいてしきい値を設定するステップと、設定されたしきい値に対する、立方体の各々の各頂点に対応する座標の積分値の大小を判定するステップと、複数の立方体の集合における積分値の大小の判定結果を表示する画像を心臓磁界積分立体図として生成するステップとを含む。
【００４３】
好ましくは、画像を生成するステップは、複数の立方体の各々ごとに、各立方体を構成する８個の頂点のうち対応する座標の積分値がしきい値より大きい頂点の数を算出するステップと、積分値がしきい値より大きい頂点の数に応じて予め定められた態様で、しきい値よりも大きい頂点を結ぶポリゴンを描画するステップと、胸部の３次元座標空間内に複数の立方体を配列して透視法射影するステップとを含む。透視法射影により得られた各立方体のポリゴンの集合が心臓磁界積分立体図を構成する。
【００４４】
好ましくは、３次元興奮伝播軌跡を構築するステップは、被験者の胸部の３次元座標のそれぞれの座標における電流密度分布データの、所定期間内の複数のタイミングにおける最強値の座標を求めるステップと、複数のタイミングにおける最強値の座標を結ぶ線を描画するステップと、タイミングをずらしながら最強値の座標を結ぶ動作を繰返すステップとを含む。
【００４５】
好ましくは、最強値の座標を結ぶ線を描画するステップは、Ｂスプライン曲線で座標を結ぶ。
【００４６】
好ましくは、心臓の心房の外郭を示す磁界積分立体図を得るときには、所定期間はＰ波心房部の時間である。
【００４７】
好ましくは、心臓の心室の外郭を示す磁界積分立体図を得るときには、所定期間はＱＲＳ波心室部の時間である。
【００４８】
好ましくは、興奮伝播軌跡構築方法は、被験者の胸部の解剖学的画像を供給するステップと、３次元興奮伝播軌跡が合成された心臓磁界積分立体図に、解剖学的画像を合成するステップとをさらに備える。
【発明の効果】
【００４９】
それゆえに、この発明によれば、非侵襲な心臓磁界計測に基づいて算出された心筋内の電流密度分布から心臓磁界積分立体図を心臓の外郭として描画し、そのような心臓の解剖学的空間認識を可能とすることができる。
【００５０】
この発明の他の目的は、非侵襲な心臓磁界計測に基づいて算出された心筋内の電流密度分布から心臓磁界積分立体図を心臓の外郭として描画し、そのような心臓における興奮伝播軌跡の構築を可能にすることができる。
【発明を実施するための最良の形態】
【００５１】
以下、この発明の実施の形態を図面を参照して詳しく説明する。なお、図中同一または相当部分には同一符号を付してその説明は繰返さない。
【００５２】
［実施の形態１］
図１は、この発明の実施の形態１による心臓磁界診断装置の構成を示すブロック図である。
【００５３】
図１を参照して、磁界分布計測装置１は、磁気シールドルーム（Magnetic Shield Room：以下、ＭＳＲ）１１内において、被験者１２の胸部上において非接触の磁気計測を行なうように設置された、ＳＱＵＩＤ磁束計を内蔵するデュワー１３と、磁界分布データの演算部１４とを備えている。
【００５４】
デュワー１３内には液体ヘリウムが満たされて超電導が生じる低温系の環境が形成されており、その中に、超電導体からなる検出コイルで構成されたＳＱＵＩＤ磁束計が収納されている。
【００５５】
図２は、図１に示したＭＳＲ１１内のデュワー１３内の超低温系に設置されるＳＱＵＩＤ磁束計１５、および常温系のＭＳＲ１１内に設置される演算部１４をより詳細に示すブロック図である。
【００５６】
なお、図２に示した構成は、被験者の胸部上の１点の磁界データを計測するための１チャネル分の構成である。後述するように、この発明では、被験者の胸部上において複数の座標における磁場の多点同時計測を行なう。したがって、図１のＭＳＲ１１内には、図２に示す１チャネル分の構成が、計測に必要な複数チャネル分設けられていることになる。なお、以下に説明する例では、被験者の胸部座標上の６４点で磁場計測が行なわれ、６４チャネル分の図２の構成が設けられているものとする。
【００５７】
以下に、図２を参照して、１チャネル分のＳＱＵＩＤ磁束計による磁界データの生成について説明する。
【００５８】
まず、ＳＱＵＩＤ磁束計１５は、被験者の胸部表面から発生する磁場を検出するための、超電導体からなるピックアップコイル１６を備える。ピックアップコイル１６が磁場を捉えると電流が流れ、この電流はコイル１７に引き込まれてＮｂシールド２０内に磁場を生じさせる。
【００５９】
この結果、この磁場に対して線形に変化する磁場が超電導ループ１８内に形成され、この超電導ループ１８の両端の電圧を、常温系のＭＳＲ１１内に設置された演算部１４の増幅器によって検出し、演算部１４は、検出電圧に変化が生じないよう、Ｎｂシールド２０内のモジュレーションコイル１９に流れる電流を調整する。
【００６０】
すなわち、このＳＱＵＩＤによる生体の磁場の検出は、発生する磁場を直接計測するものではなく、いわゆるゼロ位法を用いて、超電導リング１８内の磁場が常に一定値となるようにフィードバックをかける（具体的にはモジュレーションコイル１９に流れる電流を調整してモジュレーションコイル１９に発生する磁場を制御することにより、超電導ループ１８内に常に一定の磁場が生じるようにする）ことにより、ピックアップコイル１６で検出される磁場を、演算部１４が電気信号に変換して出力するものである。このようなフィードバックの手法は通常、フラックスロックトループ（flux locked loop：以下、ＦＬＬ）と呼ばれる周知の技術である。
【００６１】
このようなＳＱＵＩＤ磁束計１５およびその演算部１４は周知の技術であるため、これ以上の説明を省略する。
【００６２】
前述のように、図２に示した構成は、１チャネル分の磁界データの計測に必要な構成であり、被験者の胸部前面上における１点で計測された磁場の磁界時系列データを示す電気信号を出力するものである。
【００６３】
この発明では、前述のように被験者の胸部前面に多くのセンサ（ＳＱＵＩＤ磁束計）を配列し、胸部前面上の磁場を多点測定しようとするものである。磁場は時間的に変化するものであり、たとえば１心拍に相当する期間中においても、測定場所が異なれば磁場は場所に応じた異なる変化をする。
【００６４】
図３は、被験者の胸部前面上における複数のセンサ（各々が１チャネルのＳＱＵＩＤ磁束計）の配置の一例を示す図である。また、図４は、図３の複数のセンサのそれぞれの位置に対応してそれぞれのセンサから得られた、１心拍期間における磁場の変化を示す１群の磁界時系列データを示している。
【００６５】
図１に示す磁界分布計測装置１から出力されるデータは、図４に示すような複数の測定位置（座標）に対応する１群の磁界時系列データであるが、ある特定の時刻に着目してこれらの１群の磁界時系列データを捉えると、測定対象である胸部前面上におけるある時刻の磁場の強さの分布状態を示す実際の山谷の様子をグラフ（図）で表現するのは困難なので、天気図の気圧のように等高線図で表現している磁界分布データが得られる。この意味からも、磁界分布計測装置１から出力されるデータは、胸部前面上の磁界分布時系列データとして捉えることができる。
【００６６】
磁界分布計測装置１から出力されるこのような１群の磁界時系列データ、すなわち磁界分布時系列データは、図１の演算装置２に与えられる。この演算装置２は、ソフトウェアにより、ある時刻の磁界分布データに基づいてその瞬間における胸部内の電気的活動、たとえばその瞬間に流れる胸部内の電流密度を求めるように機能する。
【００６７】
磁界分布計測装置１によって生成された磁界分布時系列データから、測定対象となる人体内の部位（この発明では心臓）における３次元的な電気的活動の情報、たとえば当該部位を流れる電流密度分布を演算装置２で求める手法について説明する。
【００６８】
図５は、このような電流密度を求める方法を模式的に説明する図である。以下に説明する方法では、解析しようとする人体内の特定の１つの部位に仮に電流センサ（仮想センサ）が設けられていたとすれば、あたかもそこに流れるはずの電流を間接的に算出しようとするものである。このため、人体胸部前面に設置されたすべてのセンサ（ＳＱＵＩＤ磁束計）から得られる磁界時系列データにある係数をかけてその総和を取ることによって、当該仮想センサの電流出力を得ることができる。そして、この係数をどのように求めるかがこの演算における中心的な課題となる。
【００６９】
以下に、図５を参照して、電流密度を求める手法についてより詳細に説明する。まず、人体表面（胸部前面）上に、総数がＮ個の磁界センサが配列されているものとする。一方、解析対象である人体（胸部、特に心臓）を、各々が小さなブロックであるボクセルの集合体とみなす。ここで、ボクセルの総数をＭ個とする。
【００７０】
各センサｊから得られる磁界時系列データをＢｊ（ｔ）とし、各センサ出力（Ｂj（ｔ）に対応するボクセルｉの空間フィルタ係数をβijとする。
【００７１】
ここで、ボクセルｉに仮想電流センサがあるものと考えた場合、当該仮想電流センサから得られる電流密度に対応する仮想センサ出力をＳi（ｔ）とすると、Ｓi（ｔ）は次式で定義される。
【００７２】
【数１】
2005342081.tif 000003
【００７３】
したがって、空間フィルタ係数βijが決まれば、各ボクセルｉにおける電流密度を得ることができ、解析対象全体における３次元的電流密度分布を得ることができる。
【００７４】
上述の空間フィルタ係数βijを、対応するボクセルｉの分布電流に対してのみ鋭敏な感度を有するように設定する手法としては、前述のＳＡＭ、ＭＵＳＩＣ（Multiple Signal Classification）などの種々の手法を用いることができる。ＳＡＭやＭＵＳＩＣは、これまで、レーダやソナーなどの分野で研究開発が行なわれてきたものであり、それぞれの手法は周知である。
【００７５】
ＳＡＭやＭＵＳＩＣの手法によって空間フィルタ係数を用いて求められた各ボクセルのリアルタイムに算出された仮想センサ出力は、非常に高いリアルタイム性を有するという利点を有している。
【００７６】
ＳＡＭやＭＵＳＩＣの技術そのものは周知であり、またこれらの手法を用いて空間フィルタ係数を求めるアルゴリズムは極めて複雑なため、ここではその詳細な説明を省略するが、ＳＡＭについては、１９９９年発行のProceedings of the 11th International Conference on Biomagnetismの“Reent Advances in Biomagnetism”（Tohoku University Press発行）の第３０２頁から第３０５頁のRobinson SE および Vrba J による“Functional Neuroimaging by Synthetic Aperture Magnetometry（SAM）”に詳細に説明されている。ＭＵＳＩＣについては、平成９年１月２５日発行の原宏および栗城真也による「脳磁気科学−ＳＱＵＩＤ計測と医学応用−」（オーム社）の第１１７頁から第１１９頁に詳細に説明されている。
【００７７】
このようにして、演算装置２は、磁界分布計測装置１によって生成された磁界分布データから解析対象である心臓内の３次元的電流密度分布を示す時系列データを生成し、さらに以下に説明する心臓磁界積分立体図を構築する演算をソフトウェアで実行する。
【００７８】
この発明の心臓磁界積分立体図構築方法は、基本的に心筋部分にしか電流密度が存在しないことに注目し、心臓磁界積分立体図を構築してこれを心臓の外郭とみなすものである。
【００７９】
図６および図７は、図１の演算装置２でソフトウェアで実行される心臓磁界積分立体図構築方法のフロー図であり、特に図６は、そのうちの心房の立方体描画の処理を示すフロー図である。
【００８０】
図６を参照して、ステップＳ１において、図５に関して先に説明した空間フィルタを用いた手法により、図１のＳＱＵＩＤ磁束計によって検出した心臓磁界分布から３次元電流密度を算出する。ここで被験者胸部の３次元座標ｘ，ｙ，ｚに対する時間ｔにおいて算出された３次元電流密度をＦｔ（ｘ，ｙ，ｚ）とする。なお、３次元電流密度の各頂点間のデータは線形補間を行なっている。
【００８１】
次に、ステップＳ２において、３次元座標ｘ，ｙ，ｚのすべての組合せの座標点の各々について、図１の心電計２１によって測定されるＰ波心房部の時間ｔ１〜ｔ２にわたって、電流密度Ｆｔ（ｘ，ｙ，ｚ）の積分値であるＳ（ｘ，ｙ，ｚ）を求める。そして、Ｓ（ｘ，ｙ，ｚ）の最大値であるＳｍａｘを求める。
【００８２】
次に、ステップＳ３，Ｓ４，Ｓ５は、心臓の心房部の磁界積分立体図を描画するためのループ処理を表わしており、ステップＳ３で示す３次元座標ｘ０〜ｘｍａｘ，ｙ０〜ｙｍａｘ，ｚ０〜ｚｍａｘのすべての組合せについて、ステップＳ５でｘ，ｙ，ｚに関するループが閉じるまで、ステップＳ４の心房の立体図描画処理が実行繰り返し実行される。
【００８３】
次に、図７は、図６の処理に引続いて実行される、心臓磁界積分立体図構築方法のうちの心室の立方体描画の処理を示すフロー図である。図７のステップＳ６〜Ｓ９は、ステップＳ６における積分時間が心電計２１で測定されるＱＲＳ波心室部の時間ｔ３〜ｔ４である点を除いて、図６のステップＳ２〜Ｓ５の処理と同じなので説明は繰返さない。
【００８４】
図８は、図６のステップＳ４の心房の立方体描画処理および図７のステップＳ８の心室の立方体描画処理に共通の処理を示すフロー図である。また、図９〜図１３は、心房または心室の立方体描画処理を概念的に示す模式図である。
【００８５】
以下に、図８〜図１３を参照して、ステップＳ４の心房の立体描画処理またはステップＳ８の心室の立方体描画処理について説明する。
【００８６】
まず、被験者の胸部の３次元空間を複数の立方体の集合と考え、その１つとして、３次元座標Ｓ（ｘ，ｙ，ｚ），Ｓ（ｘ＋１，ｙ，ｚ），Ｓ（ｘ，ｙ＋１，ｚ），Ｓ（ｘ，ｙ，ｚ＋１），Ｓ（ｘ＋１，ｙ＋１，ｚ），Ｓ（ｘ＋１，ｙ，ｚ＋１），Ｓ（ｘ，ｙ＋１，ｚ＋１），Ｓ（ｘ＋１，ｙ＋１，ｚ＋１）の８点を頂点とする立方体を想定する。
【００８７】
一方、図６のステップＳ２で求めた電流密度の最大値Ｓｍａｘに基づいてあるしきい値を設定する。このようなしきい値は、心筋部分の内部に電流密度の強弱が存在することに鑑み、正確な心臓外郭図を描写するために設けたものである。
【００８８】
このしきい値はＳｍａｘに０．０〜１．０の係数を掛けたものであり、たとえば係数の初期値としては、０．６６６６６６６６を用いる。そして、装置のオペレータは、後述するようにして完成した心臓外郭の立体図を目視しながらこの係数を最適値に微調整する。
【００８９】
まず、図８のステップＳ４１において、上記の特定の立方体の頂点８点のなかで、上記Ｓｍａｘに基づくしきい値よりもおおきな電流密度の積分値を有する点の個数を計数する。そして、そのような頂点の個数が２個以下か否かを判定する（ステップＳ４２）。２個以下であれば、何も処理は行なわない。
【００９０】
一方、２個よりも多ければ、次に３個か否かが判定される（ステップＳ４３）。３個の場合、ステップＳ４４で三角形のポリゴン（多角形）が描画される。すなわち、たとえば図９に示すように３個の頂点を結ぶ三角形のポリゴンを描画する。
【００９１】
一方、３個でなければ、次に４個か否かが判定される（ステップＳ４５）。４個の場合、ステップＳ４６で三角形または四角形のポリゴンが描画される。
【００９２】
すなわち、たとえば図１０（ａ）に示すように、４点のうち１点（大きい黒丸）を中心に残りの３点が隣接する場合、３点を結ぶ三角形のポリゴンを描画する。
【００９３】
また、たとえば図１０（ｂ）に示すように、４点が同一平面上にある場合、４点を結ぶ四角形のポリゴンを描画する。
【００９４】
また、たとえば図１０（ｃ）に示すように、上記以外の場合には、４個の三角形のポリゴンを描画する。
【００９５】
一方、４個でなければ、次に５個か否かが判定される（ステップＳ４７）。５個の場合、ステップＳ４８で三角形のポリゴンが描画される。
【００９６】
すなわち、たとえば図１１（ａ）に示すように、５点を結ぶ三角形のポリゴンを描画する。
【００９７】
また、たとえば図１１（ｂ）に示すように、５点が離れている場合、三角形のポリゴンを描画する。
【００９８】
一方、５個でなければ、次に６個か否かが判定される（ステップＳ４９）。６個の場合、ステップＳ５０で三角形または四角形のポリゴンが描画される。
【００９９】
すなわち、たとえば図１２（ａ）に示すように、しきい値以下の２点が同じ辺上にある場合、四角形のポリゴンを描画する。
【０１００】
また、たとえば図１２（ｂ）に示すように、しきい値以下の２点が同じ辺上にない場合、２個の三角形のポリゴンを描画する。
【０１０１】
一方、６個でなければ、次に７個か否かが判定される（ステップＳ５１）。７個の場合、ステップＳ５２で三角形のポリゴンが描画される。
【０１０２】
すなわち、たとえば図１３に示すように、しきい値以下の１点に隣接する三角形のポリゴンを描画する。
【０１０３】
一方、ステップＳ５１で７個でないと判断された場合、すなわち８個の場合には何も処理を行なわない。これにより、ある特定の立方体についてのポリゴンの描画を終了することになる。
【０１０４】
そして、図６のステップＳ３〜Ｓ５で繰り返し行なわれた心房に関する立方体のポリゴン描写の結果および図７のステップＳ７〜Ｓ９で繰り返し行なわれた心室に関する立方体のポリゴン描写の結果をすべて併せて、図７のステップＳ１０で透視法射影を行なう。
【０１０５】
図１４は、このステップＳ１０の透視法射影を模式的に表わす図である。図９〜図１３のようにして得られた各立方体の電流密度分布の強弱を示すポリゴンの集合を透視法射影することにより、心筋の磁界積分立体図の画像データを得ることができ、この画像データは、図１の表示装置４の一方入力に与えられ、ディスプレイ上に描写される。前述のように、基本的に電流密度は心筋内にのみ存在するため、このように得られた磁界積分立体図は、心臓全体の外郭立体図を表わすものである。
【０１０６】
たとえば図１８の被験者胸部の６４測定点の座標上に示すような心房部の外郭を示す心臓磁界積分立体図（線ａで示す図中左側の実線の枠）および心室部の外郭を示す心臓磁界積分立体図（線ｂで示す図中右側の実線の枠）が、表示装置４のディスプレイ上に描画されることになる。
【０１０７】
なお、最終的な画像は、前述のように、オペレータが画像を目視してしきい値の係数を微調整することにより、最適な状態に調整される。
【０１０８】
次に上記のようにして求められた心臓磁界積分立体図によって表わされる心臓外郭の空間認識の方法について説明する。
【０１０９】
すなわち、図１を参照して、磁界発生装置５に接続された４個の磁界コイル６を被験者の胸部上の所定の位置に設置する。この例では、たとえば第４肋間胸骨右縁、第４肋間胸骨左縁、第５肋間鎖骨中線、剣状突起の４点にコイル６をそれぞれ設置するものとする。
【０１１０】
なお、これらの４点のうち、剣状突起を除く３点は、標準１２誘導心電図の国際標準誘導点であり、本願発明のような心磁図の誘導法を標準化する上で基準点になりうる点である。
【０１１１】
そして、磁界発生回路５から供給される所定の信号に応じて、４個のコイル６はそれぞれ磁界を発生する。そして４個のコイル６によって発生した磁界は、デュワー１３に内蔵されたＳＱＵＩＤ磁束計によって検出される。
【０１１２】
図１５は、被験者の胸部体表面上の４個のコイル６の位置をＣＴ撮像画像上で示す図であり、図中４個の丸印がコイル位置を表わしている。すなわち、Ｖ１は、第４肋間胸骨右縁からの胸部誘導を表わし、Ｖ２は、第４肋間胸骨左縁からの胸部誘導を表わし、Ｖ４は、第５肋間鎖骨中線からの胸部誘導を表わし、Ｎは、剣状突起を表わしている。
【０１１３】
次に、図１６は、６４チャネルのＳＱＵＩＤ磁束計で計測された、上記体表上の４個のコイルからの信号を示す波形図である。図１６において、１は、第４肋間胸骨右縁からの胸部誘導を表わし、２は、第４肋間胸骨左縁からの胸部誘導を表わし、４は、第５肋間鎖骨中線からの胸部誘導を表わし、Ｎは、剣状突起を表わしている。このようなコイルの位置は、オペレータの波形図の目視によって同定される。
【０１１４】
図１７は、このような４個のコイル位置を、６４チャネルのＳＱＵＩＤ磁束計の心磁図上に再構成した状態を示す図である。
【０１１５】
さらに、オペレータは心磁図からコイルの空間位置を目視で認識しながら図示しない入力装置を操作し、図１８に示すように、表示装置４上の心臓の外郭立体図を示す画像と同一空間上に、４個のコイルの各々について、位置１，２，４およびＮを丸印で描画する。
【０１１６】
ここで、被験者の体表上の既知の４点（図１５〜図１７参照）のうち、Ｖ１，Ｖ２，Ｎはほぼ同一平面上にあるが、Ｖ４については、被験者により異なるがおよそ１〜２ｃｍ程度奥まっている。表示装置４に表示された心臓外郭立体図を演算装置２の処理により深さ方向の表示に切替えることにより、このような奥行きのことなるコイル位置についても外郭立体図中に３次元的に描画することができる。
【０１１７】
このように、この発明によれば、心臓磁界からＳＱＵＩＤ磁束計で検出した心臓磁界分布から求めた電流密度分布に基づいて描画された心臓磁界積分立体図すなわち心臓の外郭と、既知のコイル位置４点との空間位置的関連付けを行ない、描画された心臓空間位置の認識が可能となるものである。
【０１１８】
特に、この発明の実施の形態１によれば、同一被験者について、同一の時刻に同一の測定方法を用いて計測した心臓外郭立体図と既知のコイル位置とを同一空間上に再構成しているので、従来の別の時刻に別の方法で得たデータを再構成する場合に比べて、空間的なずれが起こることはなく、極めて正確な心臓の空間認識が可能となる。
【０１１９】
なお、このように心臓の正確な空間認識が可能になると、必要に応じて、ＭＲＩ，ＣＴ等の解剖学的画像データとの合成が容易になる。図１において、必要な場合には、破線で示す解剖学的画像データ生成装置３には、図示しない他の断層診断装置、たとえばＭＲＩ、Ｘ線ＣＴなどを用いて撮影された同一被験者の胸部のスライス画像データが入力される。
【０１２０】
解剖学的画像データ生成装置３は、入力されたスライス画像データを加工して所定視点から３次元透視変換を施し、解剖学的画像データを生成する。このようにスライス画像データから３次元的な解剖学的画像を形成する技術は周知であり、たとえば特開平１１−１２８２２４号公報、国際公開ＷＯ９８／１５２２６号公報などに詳細に開示されている。したがって、その詳細はここでは説明しない。
【０１２１】
このようにして、解剖学的画像データ生成装置３は、同一被験者の心臓付近の胸部の３次元的な解剖学的画像を示すデータを生成し、表示装置４の他方入力に与える。
【０１２２】
図１の表示装置４は、解剖学定画像データ生成装置３からのデータに基づいて形成した被験者の胸部の３次元的な解剖学的画像上に、演算装置２からの心臓磁界積分立体図のデータに基づいて形成した心臓の外郭を示す画像を重ね合わせて表示する。
【０１２３】
図１９は、図１８に示した心臓外郭の立体図とＭＲＩ画像とを合成した図である。ＭＲＩの計測時に、同一被験者の体表上の、上記４個のコイルと同じ４点にマーカーで目印を付けておくことにより、心臓外郭立体図との合成を、空間的なずれなく正確に行なうことができる。
【０１２４】
なお、上述の心臓の空間認識方法では、オペレータが、ＳＱＵＩＤ磁束計で取得した６４チャネルの磁界波形の大きさから目視により体表上に装着された４個のコイルの位置を推定し、入力手段を操作することにより、心臓外郭立体図と同一空間上に磁界コイル位置を描画するように構成したが、オペレータによる目視に代わって、演算装置２においてソフトウェアの信号処理により、６４チャネル磁束計の出力波形に基づくコイル位置の判定、および心臓外郭立体図上への描画を行なうことも可能であることは言うまでもない。
【０１２５】
なお、この実施の形態１では、ＳＱＵＩＤ磁束計のチャネル数は６４チャネルであったが、これに限られるものではなく、また被験者の体表に装着されるコイル数も４個に限られるものではない。
【０１２６】
なお、上記の実施の形態１では、３次元電流密度データの積分値を用いて心臓外郭立体図を得るように構成していたが、これに代えて３次元エネルギ密度データの積分値を用いて心臓外郭立体図を得るように構成してもよい。すなわち、生体のインピーダンスが一定であると仮定すると、電流密度データを二乗するとエネルギ密度データが求まる。上述の図６から図８のフロー図の処理において、３次元電流密度データの積分値に代えて、３次元電流密度データをさらに二乗して得られる３次元エネルギ密度データの積分値を用いても全く同様に心臓外郭立体図を得ることができ、上述の実施の形態の形態１と全く同じ効果を得ることができる。
【０１２７】
以上のようにこの発明の実施の形態１によれば、非侵襲な心臓磁界計測に基づいて算出された心筋内の電流密度分布から心臓磁界積分立体図を心臓外郭の立体図として描画し、そのような心臓の正確な解剖学的空間認識を可能とすることができる。
【０１２８】
特に、同一被験者について、同一の時刻に同一の測定方法を用いて計測した心臓外郭立体図と既知のコイル位置とを同一空間上に再構成しているので、双方の間に空間的なずれが起こることはなく、極めて正確な心臓の空間認識を可能とすることができる。
【０１２９】
［実施の形態２］
図２０は、この発明の実施の形態２による心臓磁界診断装置の構成を示すブロック図である。図２０に示す実施の形態２は、以下の点においてのみ図１に示した実施の形態１による心臓磁界診断装置と相違しており、共通する部分についてはその説明を省略する。
【０１３０】
すなわち、図２０の実施の形態２では、実施の形態１のようは磁界発生装置５およびコイル６は用いられておらず、実施の形態１の演算装置２に代えて演算装置７が設けられている。
【０１３１】
演算装置７は、図１の演算装置２と同様に、磁界分布計測装置１によって生成された磁界分布データから解析対象である心臓内の３次元電流密度分布を示す時系列データを生成し、図６〜図８の処理により心臓磁界積分立体図すなわち心臓外郭立体図の画像データを生成する。その後、実施の形態２の演算装置７は、このようにして得られた心臓外郭立体図における興奮伝播軌跡を構築する処理を行なう。
【０１３２】
すなわち、この発明の実施の形態２では、上述の３次元電流密度解析により、心房および心室の刺激伝導系の経時的な興奮伝播の軌跡を描画して、別途得られた心臓外郭立体図と合成することにより、種々の不整脈の信号源の推定を可能にするものである。
【０１３３】
図２１は、図２０の演算装置７でソフトウェアで実行される興奮伝播軌跡構築方法のフロー図であり、特に前半のステップＳ１１〜Ｓ１４は、そのうちの心房の興奮伝播軌跡描画の処理を示すフロー図である。
【０１３４】
図２１を参照して、ステップＳ１１において、図５に関して先に説明した空間フィルタを用いた手法により、図１のＳＱＵＩＤ磁束計によって検出した心臓磁界分布から３次元電流密度を算出する。ここで被験者胸部の３次元座標ｘ，ｙ，ｚに対する時間ｔにおいて算出された３次元電流密度をＦｔ（ｘ，ｙ，ｚ）とする。なお、３次元電流密度の各頂点間のデータは線形補間を行なっている。
【０１３５】
次に、ステップＳ１２，Ｓ１３，Ｓ１４は、心臓の心房部の興奮伝播軌跡を描画するためのループ処理を表わしており、ステップＳ１２において、図２０の心電計２１で測定したＰ波心房部の時間ｔ１〜ｔ２の期間、ステップＳ１４でｔに関するループが閉じるまで、ステップＳ１３の心房の興奮伝播軌跡描画処理が実行繰り返し実行される。
【０１３６】
続いて、ステップＳ１５〜Ｓ１７は、ステップＳ１１〜１４の処理に引続いて実行される、心室の興奮伝播軌跡を描画するためのループ処理を表わしている。ステップＳ１５〜Ｓ１７は、処理が行なわれる期間が心電計２１で測定されるＱＲＳ波心室部の時間ｔ３〜ｔ４である点を除いて、ステップＳ１２〜Ｓ１４の処理と同じであるので共通する部分の説明は省略する。
【０１３７】
次に、ステップＳ１３およびＳ１６の共通する処理について説明する。たとえば、ステップＳ１３のＰ波心房部の時間では、期間ｔ１〜ｔ２の間に、３つのタイミングｔ，ｔ＋１，ｔ＋２を選んでそれぞれの時点でのＦｔ（ｘ，ｙ，ｚ）の最強点を結ぶ。
【０１３８】
このとき、単純に３点を直線で結ぶとギザギザの線になるため、周知のＢスプライン曲線を用いて３点を結ぶ。Ｂスプライン曲線は三角形の中点を再帰的に求めて表わす曲線である（たとえば、http://musashi.or.tv/doc/doc2.htm参照）。
【０１３９】
このようにｔ，ｔ＋１，ｔ＋２のそれぞれのタイミングにおけるＦｔ（ｘ，ｙ，ｚ）の最強点を３点Ｂスプライン曲線で結び、期間ｔ１〜ｔ２の中でずらしたｔ＋１，ｔ＋２，ｔ＋３のそれぞれのタイミングにおけるＦｔ（ｘ，ｙ，ｚ）の最強点を３点Ｂスプライン曲線で結び、さらに期間ｔ１〜ｔ２の中でずらしたｔ＋２，ｔ＋３，ｔ＋４のそれぞれのタイミングにおけるＦｔ（ｘ，ｙ，ｚ）の最強点を３点Ｂスプライン曲線で結ぶ。
【０１４０】
このようなループ処理をＰ波の期間ｔ１〜ｔ２の間繰り返し、３次元電流密度の最強点を結ぶ線を得ることができる。
【０１４１】
ステップＳ１６のＱＲＳ波心室部の時間では、期間ｔ３〜ｔ４の間に、同様に３つのタイミングｔ，ｔ＋１，ｔ＋２を選んでそれぞれの時点でのＦｔ（ｘ，ｙ，ｚ）の最強点を結ぶ。以下の処理は、ステップＳ１３と同じである。
【０１４２】
このような電流密度の最強点の軌跡の描画により、心房および心室の刺激伝導系の経時的な興奮伝播軌跡を描画することができる。
【０１４３】
この発明の実施の形態２では、前述の実施の形態１で求めた磁界積分立体図すなわち心臓の外郭立体図と上記の興奮伝播軌跡とを再構成するものである。これにより、心房と心室および洞結節から房室結節、そしてプルキンエ繊維にいたる興奮伝播の３次元表示が可能となった。
【０１４４】
図２２の（ａ）は、不整脈の一例としての心房粗動の心磁図波形であり、（ｂ）は、実施の形態１の方法で求めた心臓の外郭立体図（図中の細線で描いた図形）中に、実施の形態２で得られた心房粗動の心房内の興奮旋回路すなわちリエントリ回路（図中の太線で描いた図形）を合成したものである。この例では心房粗動でのリエントリ回路の心臓外郭立体図中での同定が可能になるが、この実施の形態２の方法によれば、心房粗動に限らず、ＷＰＷ症候群や心房細動など、種々の不整脈の信号源の推定が可能になるものである。
【０１４５】
図２３は、前述の実施の形態１による心臓外郭立体図の空間認識に加えて、実施の形態２による興奮伝播軌跡を再構成したものであり、これにより興奮伝播軌跡のより正確な解剖学的空間的同定が可能となる。
【０１４６】
なお、このように興奮伝播軌跡の構築が可能になると、必要に応じて、ＭＲＩ，ＣＴ等の解剖学的画像データとの合成が容易になる。図２０において、必要な場合には、破線で示す解剖学的画像データ生成装置３には、図示しない他の断層診断装置、たとえばＭＲＩ、Ｘ線ＣＴなどを用いて撮影された同一被験者の胸部のスライス画像データが入力される。
【０１４７】
解剖学的画像データ生成装置３は、同一被験者の心臓付近の胸部の３次元的な解剖学的画像を示すデータを生成し、表示装置４の他方入力に与える。
【０１４８】
図２０の表示装置４は、解剖学定画像データ生成装置３からのデータに基づいて形成した被験者の胸部の３次元的な解剖学的画像上に、演算装置７からの心臓磁界積分立体図のデータに基づいて形成した心臓の外郭を示す画像および興奮伝播軌跡を重ね合わせて表示する。
【０１４９】
図２４は、図２３に示した心臓外郭の立体図および興奮伝播軌跡とＭＲＩ画像とを合成した図である。実施の形態１の空間認識方法を用いた場合には、ＭＲＩの計測時に同一被験者の体表上の、上記４個のコイルと同じ４点にマーカーで目印を付けておくことにより、心臓外郭立体図との合成を、空間的なずれなく正確に行なうことができる。
【０１５０】
なお、この実施の形態２でも、ＳＱＵＩＤ磁束計のチャネル数は６４チャネルであったが、これに限られるものではない。
【０１５１】
なお、上記の実施の形態２においても、実施の形態１と同様に３次元電流密度データの積分値を用いて心臓外郭立体図を得るように構成していたが、実施の形態１に関連して先に述べたように、これに代えて３次元エネルギ密度データの積分値を用いて心臓外郭立体図を得るように構成してもよい。すなわち、上述の図６から図８のフロー図の処理における３次元電流密度データの積分値に代えて、３次元電流密度データをさらに二乗して得られる３次元エネルギ密度データの積分値を用いても全く同様に心臓外郭立体図を得ることができ、実施の形態の形態２と全く同じ効果を得ることができる。
【０１５２】
以上のようにこの発明の実施の形態２によれば、非侵襲な心臓磁界計測に基づいて算出された心筋内の電流密度分布から心臓磁界積分立体図を心臓外郭の立体図として描画し、そのような心臓における興奮伝播軌跡の構築を可能とすることができる。
【０１５３】
特に、同一被験者について、同一の時刻に同一の測定方法を用いて計測した心臓外郭立体図と興奮伝播軌跡とを同一空間上に再構成しているので、双方の間に空間的なずれが起こることはなく、極めて正確な興奮伝播軌跡の同定を可能とすることができる。
【産業上の利用可能性】
【０１５４】
この発明は、患者に負担のない非侵襲の心臓磁界計測による心臓の正確な空間認識および心疾患部位の特定が可能となるものであり、心臓磁界計測を利用した画像診断装置の分野において好適なものである。
【図面の簡単な説明】
【０１５５】
【図１】この発明の実施の形態１による心臓磁界診断装置の構成を示す概略ブロック図である。
【図２】図１に示した磁界分布計測装置の詳細な構成を示すブロック図である。
【図３】被験者の胸部前面上における複数の磁界センサの配列例を示す図である。
【図４】図３の複数のセンサのそれぞれから得られた磁界時系列データを示す図である。
【図５】磁界時系列データから電流密度データを算出する方法を模式的に説明する図である。
【図６】この発明の実施の形態１による心臓磁界診断装置の動作を説明するフロー図である。
【図７】この発明の実施の形態１による心臓磁界診断装置の動作を説明するフロー図である。
【図８】この発明の実施の形態１による心臓磁界診断装置の動作を説明するフロー図である。
【図９】この発明による心臓外郭の描写方法を概念的に示す模式図である。
【図１０】この発明による心臓外郭の描写方法を概念的に示す模式図である。
【図１１】この発明による心臓外郭の描写方法を概念的に示す模式図である。
【図１２】この発明による心臓外郭の描写方法を概念的に示す模式図である。
【図１３】この発明による心臓外郭の描写方法を概念的に示す模式図である。
【図１４】この発明による心臓外郭の描写方法を概念的に示す模式図である。
【図１５】被験者の体表上のコイル位置を示すＣＴ撮像画像である。
【図１６】ＳＱＵＩＤ磁束計で計測されたコイルからの信号波形図である。
【図１７】ＳＱＵＩＤ磁束計の心磁図上にコイル位置を再構成した図である。
【図１８】この発明によって得られる心臓外郭立体図である。
【図１９】図１８の心臓外郭立体図をＭＲＩ画像と再構成した画像を示す図である。
【図２０】この発明の実施の形態２による心臓磁界診断装置の構成を示す概略ブロック図である。
【図２１】この発明の実施の形態２による心臓磁界診断装置の動作を説明するフロー図である。
【図２２】この発明によって得られる心臓外郭立体図と興奮伝播軌跡とを再構成した状態を示す図である。
【図２３】この発明によって得られる空間認識された心臓外郭立体図と興奮伝播軌跡とを再構成した状態を示す図である。
【図２４】図２３の心臓外郭立体図および興奮伝播軌跡をＭＲＩ画像と再構成した画像を示す図である。
【符号の説明】
【０１５６】
１  磁界分布計測装置、２，７  演算装置、３  解剖学的画像データ生成装置、４  表示装置、５  磁界発生装置、６  コイル、１２  被験者、１３  デュワ−、１４  演算部、１５  ＳＱＵＩＤ磁束計、１６  検出コイル、１７  コイル、１８  超電導ループ、１９  モジュレーションコイル、２０  Ｎｂシールド、２１  心電計。
【図１】
2005342081.tif 000004
【図２】
2005342081.tif 000005
【図３】
2005342081.tif 000006
【図４】
2005342081.tif 000007
【図５】
2005342081.tif 000008
【図６】
2005342081.tif 000009
【図７】
2005342081.tif 000010
【図８】
2005342081.tif 000011
【図９】
2005342081.tif 000012
【図１０】
2005342081.tif 000013
【図１１】
2005342081.tif 000014
【図１２】
2005342081.tif 000015
【図１３】
2005342081.tif 000016
【図１４】
2005342081.tif 000017
【図１６】
2005342081.tif 000018
【図１７】
2005342081.tif 000019
【図２０】
2005342081.tif 000020
【図２１】
2005342081.tif 000021
【図１５】
2005342081.tif 000022
【図１８】
2005342081.tif 000023
【図１９】
2005342081.tif 000024
【図２２】
2005342081.tif 000025
【図２３】
2005342081.tif 000026
【図２４】
2005342081.tif 000027
【手続補正書】
【提出日】平成17年9月8日(2005.9.8)
【手続補正１】
【補正対象書類名】特許請求の範囲
【補正対象項目名】全文
【補正方法】変更
【補正の内容】
【特許請求の範囲】
【請求項１】
心臓の空間認識が可能な心臓磁界診断装置の作動方法であって、
前記心臓磁界診断装置は、
被験者の胸部上の複数の座標における非接触磁気計測により前記複数の座標に対応する２次元心臓磁界分布データを生成する心臓磁界分布計測手段と、
前記生成された２次元心臓磁界分布データに基づいて前記被験者の心筋内の３次元電流密度分布データを生成する第１の演算手段と、
前記３次元電流密度分布データに基づいて、心臓の外郭を示す心臓磁界積分立体図を構築する第２の演算手段とを備え、
前記作動方法は、
前記被験者の胸部上の所定の位置に所定の磁気信号を印加するステップと、
前記印加された所定の磁気信号を前記心臓磁界分布計測手段によって検出して、前記胸部上の前記所定の位置を判定するステップと、
前記構築された心臓磁界積分立体図と同一空間内に、前記判定された前記所定の位置を同定するステップとを備えた、心臓磁界診断装置の作動方法。
【請求項２】
前記第２の演算手段は、
前記被験者の胸部の３次元座標のそれぞれの座標における前記３次元電流密度データのまたは前記３次元電流密度データを二乗した３次元エネルギ密度データの所定期間にわたる積分値を求める積分手段と、
前記それぞれの座標における前記積分値のうちの最大値を求める最大値判定手段と、
前記胸部の３次元座標を複数の立方体の集合に区分する立方体設定手段と、
前記積分値の最大値に基づいてしきい値を設定するしきい値設定手段と、
前記設定されたしきい値に対する、前記立方体の各々の各頂点に対応する座標の前記積分値の大小を判定する大小判定手段と、
前記複数の立方体の集合における前記積分値の大小の判定結果を表示する画像を前記心臓磁界積分立体図として生成する画像生成手段とを含む、請求項１に記載の心臓磁界診断装置の作動方法。
【請求項３】
前記画像生成手段は、
前記複数の立方体の各々ごとに、前記各立方体を構成する８個の頂点のうち対応する座標の前記積分値が前記しきい値より大きい頂点の数を算出する手段と、
前記積分値がしきい値より大きい頂点の数に応じて予め定められた態様で、前記しきい値よりも大きい頂点を結ぶポリゴンを描画する手段と、
前記胸部の３次元座標空間内に前記複数の立方体を配列して前記描画されたポリゴンを透視法射影する手段とを含み、
前記透視法射影により得られた各立方体のポリゴンの集合が前記心臓磁界積分立体図を構成する、請求項２に記載の心臓磁界診断装置の作動方法。
【請求項４】
前記心臓の心房の外郭を示す磁界積分立体図を得るときには、前記所定期間はＰ波心房部の時間である、請求項２または３に記載の心臓磁界診断装置の作動方法。
【請求項５】
前記心臓の心室の外郭を示す磁界積分立体図を得るときには、前記所定期間はＱＲＳ波心室部の時間である、請求項２または３に記載の心臓磁界診断装置の作動方法。
【請求項６】
前記所定の位置が特定された、前記被験者の胸部の解剖学的画像を生成するステップと、
前記所定の位置が同定された前記心臓磁界積分立体図に、前記解剖学的画像を合成するステップとをさらに備える、請求項１〜５のいずれかに記載の心臓磁界診断装置の作動方法。
【請求項７】
被験者の胸部上の複数の座標における非接触磁気計測により前記複数の座標に対応する２次元心臓磁界分布データを生成する心臓磁界分布計測手段と、
前記生成された２次元心臓磁界分布データに基づいて前記被験者の心筋内の３次元電流密度分布データを生成する第１の演算手段と、
前記３次元電流密度分布データに基づいて、心臓の外郭を示す心臓磁界積分立体図を構築する第２の演算手段と、
前記被験者の胸部上の所定の位置に外部から印加された所定の磁気信号を前記心臓磁界分布計測手段によって検出して、前記胸部上の前記所定の位置を認識する磁気信号認識手段と、
前記構築された心臓磁界積分立体図と同一空間内に、前記認識された前記所定の位置を同定する空間位置同定手段とを備えた、心臓磁界診断装置。
【請求項８】
前記第２の演算手段は、
前記被験者の胸部の３次元座標のそれぞれの座標における前記３次元電流密度データのまたは前記３次元電流密度データを二乗した３次元エネルギ密度データの所定期間にわたる積分値を求める積分手段と、
前記それぞれの座標における前記積分値のうちの最大値を求める最大値判定手段と、
前記胸部の３次元座標を複数の立方体の集合に区分する立方体設定手段と、
前記積分値の最大値に基づいてしきい値を設定するしきい値設定手段と、
前記設定されたしきい値に対する、前記立方体の各々の各頂点に対応する座標の前記積分値の大小を判定する大小判定手段と、
前記複数の立方体の集合における前記積分値の大小の判定結果を表示する画像を前記心臓磁界積分立体図として生成する画像生成手段とを含む、請求項７に記載の心臓磁界診断装置。
【請求項９】
前記画像生成手段は、
前記複数の立方体の各々ごとに、前記各立方体を構成する８個の頂点のうち対応する座標の前記積分値が前記しきい値より大きい頂点の数を算出する手段と、
前記積分値がしきい値より大きい頂点の数に応じて予め定められた態様で、前記しきい値よりも大きい頂点を結ぶポリゴンを描画する手段と、
前記胸部の３次元座標空間内に前記複数の立方体を配列して透視法射影する手段とを含み、
前記透視法射影により得られた各立方体のポリゴンの集合が前記心臓磁界積分立体図を構成する、請求項８に記載の心臓磁界診断装置。
【請求項１０】
前記心臓の心房の外郭を示す磁界積分立体図を得るときには、前記所定期間はＰ波心房部の時間である、請求項８または９に記載の心臓磁界診断装置。
【請求項１１】
前記心臓の心室の外郭を示す磁界積分立体図を得るときには、前記所定期間はＱＲＳ波心室部の時間である、請求項８または９に記載の心臓磁界診断装置。
【請求項１２】
前記所定の位置が特定された、前記被験者の胸部の解剖学的画像を供給する手段と、
前記所定の位置が同定された前記心臓磁界積分立体図に、前記解剖学的画像を合成する手段とをさらに備える、請求項７〜１１のいずれかに記載の心臓磁界診断装置。
【請求項１３】
心臓の空間認識が可能な心臓磁界診断装置の作動方法であって、
被験者の胸部上の複数の座標における非接触磁気計測により前記複数の座標に対応する２次元心臓磁界分布データを生成するステップと、
前記生成された２次元心臓磁界分布データに基づいて前記被験者の心筋内の３次元電流密度分布データを生成するステップと、
前記３次元電流密度分布データに基づいて、心臓の外郭を示す心臓磁界積分立体図を構築するステップと、
前記被験者の胸部上の所定の位置に印加された所定の磁気信号を検出して、前記胸部上の前記所定の位置を判定するステップと、
前記構築された心臓磁界積分立体図と同一空間内に、前記判定された前記所定の位置を同定するステップとを備えた、心臓磁界診断装置の作動方法。
【請求項１４】
前記心臓磁界積分立体図を構築するステップは、
前記被験者の胸部の３次元座標のそれぞれの座標における前記３次元電流密度データのまたは前記３次元電流密度データを二乗した３次元エネルギ密度データの所定期間にわたる積分値を求めるステップと、
前記それぞれの座標における前記積分値のうちの最大値を求めるステップと、
前記胸部の３次元座標を複数の立方体の集合に区分するステップと、
前記積分値の最大値に基づいてしきい値を設定するステップと、
前記設定されたしきい値に対する、前記立方体の各々の各頂点に対応する座標の前記積分値の大小を判定するステップと、
前記複数の立方体の集合における前記積分値の大小の判定結果を表示する画像を前記心臓磁界積分立体図として生成するステップとを含む、請求項１３に記載の心臓磁界診断装置の作動方法。
【請求項１５】
前記画像を生成するステップは、
前記複数の立方体の各々ごとに、前記各立方体を構成する８個の頂点のうち対応する座標の前記積分値が前記しきい値より大きい頂点の数を算出するステップと、
前記積分値がしきい値より大きい頂点の数に応じて予め定められた態様で、前記しきい値よりも大きい頂点を結ぶポリゴンを描画するステップと、
前記胸部の３次元座標空間内に前記複数の立方体を配列して透視法射影するステップとを含み、
前記透視法射影により得られた各立方体のポリゴンの集合が前記心臓磁界積分立体図を構成する、請求項１４に記載の心臓磁界診断装置の作動方法。
【請求項１６】
前記心臓の心房の外郭を示す磁界積分立体図を得るときには、前記所定期間はＰ波心房部の時間である、請求項１４または１５に記載の心臓磁界診断装置の作動方法。
【請求項１７】
前記心臓の心室の外郭を示す磁界積分立体図を得るときには、前記所定期間はＱＲＳ波心室部の時間である、請求項１４または１５に記載の心臓磁界診断装置の作動方法。
【請求項１８】
前記所定の位置が特定された、前記被験者の胸部の解剖学的画像を供給するステップと、
前記所定の位置が同定された前記心臓磁界積分立体図に、前記解剖学的画像を合成するステップとをさらに備える、請求項１３〜１７のいずれかに記載の心臓磁界診断装置の作動方法。
【請求項１９】
被験者の胸部上の複数の座標における非接触磁気計測により前記複数の座標に対応する２次元心臓磁界分布データを生成する心臓磁界分布計測手段と、
前記生成された２次元心臓磁界分布データに基づいて前記被験者の心筋内の３次元電流密度分布データを生成する第１の演算手段と、
前記３次元電流密度分布データに基づいて、心臓の外郭を示す心臓磁界積分立体図を構築する第２の演算手段と、
前記３次元電流密度分布データに基づいて前記被験者の心筋内の刺激伝導系の３次元興奮伝播軌跡を構築する第３の演算手段と、
前記構築された心臓磁界積分立体図と前記構築された３次元興奮伝播軌跡とを合成するデータ合成手段とを備えた、心臓磁界診断装置。
【請求項２０】
前記第２の演算手段は、
前記被験者の胸部の３次元座標のそれぞれの座標における前記３次元電流密度データのまたは前記３次元電流密度データを二乗した３次元エネルギ密度データの所定期間にわたる積分値を求める積分手段と、
前記それぞれの座標における前記積分値のうちの最大値を求める最大値判定手段と、
前記胸部の３次元座標を複数の立方体の集合に区分する立方体設定手段と、
前記積分値の最大値に基づいてしきい値を設定するしきい値設定手段と、
前記設定されたしきい値に対する、前記立方体の各々の各頂点に対応する座標の前記積分値の大小を判定する大小判定手段と、
前記複数の立方体の集合における前記積分値の大小の判定結果を表示する画像を前記心臓磁界積分立体図として生成する画像生成手段とを含む、請求項１９に記載の心臓磁界診断装置。
【請求項２１】
前記画像生成手段は、
前記複数の立方体の各々ごとに、前記各立方体を構成する８個の頂点のうち対応する座標の前記積分値が前記しきい値より大きい頂点の数を算出する手段と、
前記積分値がしきい値より大きい頂点の数に応じて予め定められた態様で、前記しきい値よりも大きい頂点を結ぶポリゴンを描画する手段と、
前記胸部の３次元座標空間内に前記複数の立方体を配列して透視法射影する手段とを含み、
前記透視法射影により得られた各立方体のポリゴンの集合が前記心臓磁界積分立体図を構成する、請求項２０に記載の心臓磁界診断装置。
【請求項２２】
前記第３の演算手段は、
前記被験者の胸部の３次元座標のそれぞれの座標における前記電流密度分布データの、前記所定期間内の複数のタイミングにおける最強値の座標を求める手段と、
前記複数のタイミングにおける最強値の座標を結ぶ線を描画する手段と、
前記タイミングをずらしながら前記最強値の座標を結ぶ動作を繰返す手段とを含む、請求項２０または２１に記載の心臓磁界診断装置。
【請求項２３】
前記最強値の座標を結ぶ線を描画する手段は、Ｂスプライン曲線で前記座標を結ぶ、請求項２２に記載の心臓磁界診断装置。
【請求項２４】
前記心臓の心房の外郭を示す磁界積分立体図を得るときには、前記所定期間はＰ波心房部の時間である、請求項２０〜２３のいずれかに記載の心臓磁界診断装置。
【請求項２５】
前記心臓の心室の外郭を示す磁界積分立体図を得るときには、前記所定期間はＱＲＳ波心室部の時間である、請求項２０〜２３のいずれかに記載の心臓磁界診断装置。
【請求項２６】
前記被験者の胸部の解剖学的画像を供給する手段と、
前記３次元興奮伝播軌跡が合成された前記心臓磁界積分立体図に、前記解剖学的画像を合成する手段とをさらに備える、請求項１９〜２５のいずれかに記載の心臓磁界診断装置。
【請求項２７】
興奮伝播軌跡の構築が可能な心臓磁界診断装置の作動方法であって、
被験者の胸部上の複数の座標における非接触磁気計測により前記複数の座標に対応する２次元心臓磁界分布データを生成するステップと、
前記生成された２次元心臓磁界分布データに基づいて前記被験者の心筋内の３次元電流密度分布データを生成するステップと、
前記３次元電流密度分布データに基づいて、心臓の外郭を示す心臓磁界積分立体図を構築するステップと、
前記３次元電流密度分布データに基づいて前記被験者の心筋内の刺激伝導系の３次元興奮伝播軌跡を構築するステップと、
前記構築された心臓磁界積分立体図と前記構築された３次元興奮伝播軌跡とを合成するステップとを備えた、心臓磁界診断装置の作動方法。
【請求項２８】
前記心臓磁界積分立体図を構築するステップは、
前記被験者の胸部の３次元座標のそれぞれの座標における前記３次元電流密度データのまたは前記３次元電流密度データを二乗した３次元エネルギ密度データの所定期間にわたる積分値を求めるステップと、
前記それぞれの座標における前記積分値のうちの最大値を求めるステップと、
前記胸部の３次元座標を複数の立方体の集合に区分するステップと、
前記積分値の最大値に基づいてしきい値を設定するステップと、
前記設定されたしきい値に対する、前記立方体の各々の各頂点に対応する座標の前記積分値の大小を判定するステップと、
前記複数の立方体の集合における前記積分値の大小の判定結果を表示する画像を前記心臓磁界積分立体図として生成するステップとを含む、請求項２７に記載の心臓磁界診断装置の作動方法。
【請求項２９】
前記画像を生成するステップは、
前記複数の立方体の各々ごとに、前記各立方体を構成する８個の頂点のうち対応する座標の前記積分値が前記しきい値より大きい頂点の数を算出するステップと、
前記積分値がしきい値より大きい頂点の数に応じて予め定められた態様で、前記しきい値よりも大きい頂点を結ぶポリゴンを描画するステップと、
前記胸部の３次元座標空間内に前記複数の立方体を配列して透視法射影するステップとを含み、
前記透視法射影により得られた各立方体のポリゴンの集合が前記心臓磁界積分立体図を構成する、請求項２８に記載の心臓磁界診断装置の作動方法。
【請求項３０】
前記３次元興奮伝播軌跡を構築するステップは、
前記被験者の胸部の３次元座標のそれぞれの座標における前記電流密度分布データの、前記所定期間内の複数のタイミングにおける最強値の座標を求めるステップと、
前記複数のタイミングにおける最強値の座標を結ぶ線を描画するステップと、
前記タイミングをずらしながら前記最強値の座標を結ぶ動作を繰返すステップとを含む、請求項２８または２９に記載の心臓磁界診断装置の作動方法。
【請求項３１】
前記最強値の座標を結ぶ線を描画するステップは、Ｂスプライン曲線で前記座標を結ぶ、請求項３０に記載の心臓磁界診断装置の作動方法。
【請求項３２】
前記心臓の心房の外郭を示す磁界積分立体図を得るときには、前記所定期間はＰ波心房部の時間である、請求項２８〜３１のいずれかに記載の心臓磁界診断装置の作動方法。
【請求項３３】
前記心臓の心室の外郭を示す磁界積分立体図を得るときには、前記所定期間はＱＲＳ波心室部の時間である、請求項２８〜３１のいずれかに記載の心臓磁界診断装置の作動方法。
【請求項３４】
前記被験者の胸部の解剖学的画像を供給するステップと、
前記３次元興奮伝播軌跡が合成された前記心臓磁界積分立体図に、前記解剖学的画像を合成するステップとをさらに備える、請求項２７〜３３のいずれかに記載の心臓磁界診断装置の作動方法。